Podtech/llm-jp-corpus-v4-ja_patent huggingface dataset:
【誤訳訂正書】
【提出日】平成30年5月31日(2018.5.31)
【誤訳訂正１】
【訂正対象書類名】明細書
【訂正対象項目名】０００６
【訂正方法】変更
【訂正の内容】
【０００６】
それ故、本発明の対象は、支持基材（１）を有し、該基材はその片面上に、金属クラスターからなる層（２）、スペーサー層（３）及び電磁波反射層（６）からなるカラーシフトエフェクト構造体を有するセキュリティエレメント、特に、セキュリティラベルであって、該スペーサー層（３）は、同一又は異なる組成の、互いに上下に位置する二つの部分層（４、５）からなり、その際、第一に、前記クラスター層（２）が面する部分層（４）の該クラスター層に対する粘着力が、第二の部分層（５）に対するそれの粘着力よりも大きく、そして、第二に、前記電磁波反射層（６）が面する部分層（５）の該電磁波反射層に対する粘着力が、前記第一の部分層（４）の粘着力よりも大きいことを特徴とする、上記のセキュリティエレメントである。
【誤訳訂正２】
【訂正対象書類名】特許請求の範囲
【訂正対象項目名】請求項２
【訂正方法】変更
【訂正の内容】
【請求項２】
前記支持基材（１）上に、前記カラーシフトエフェクト構造体の下に、部分的な剥離塗膜層（１０）が設けられることを特徴とする、請求項１に記載のセキュリティエレメント。
【誤訳訂正３】
【訂正対象書類名】特許請求の範囲
【訂正対象項目名】請求項９
【訂正方法】変更
【訂正の内容】
【請求項９】
前記ポジ又はネガの文字、数字、記号、符号、線、ギロッシュの形態に形成された部分層（４、５）が、操作の前に、異なるカラーシフトエフェクトを引き起こすことを特徴とする、請求項８に記載のセキュリティエレメント。
【誤訳訂正４】
【訂正対象書類名】特許請求の範囲
【訂正対象項目名】請求項１４
【訂正方法】変更
【訂正の内容】
【請求項１４】
前記カラーシフトエフェクトに対向する前記支持基材（１）の表面上に、印刷された印刷し易くするプライマー（９）が設けられることを特徴とする、請求項１〜１３のいずれか一つに記載のセキュリティエレメント。
【手続補正書】
【提出日】平成29年12月15日(2017.12.15)
【手続補正１】
【補正対象書類名】特許請求の範囲
【補正対象項目名】全文
【補正方法】変更
【補正の内容】
【特許請求の範囲】
【請求項１】
スイッチング可能な物体を作製する方法であって、
第１の基板の第１の面上に、領域を規定するバリア材料を適用するステップと、
前記第１の面上の前記領域内にスイッチング可能な材料を適用するステップと、
前記スイッチング可能な材料および前記バリア材料の上に、前記スイッチング可能な材料および前記バリア材料と接触させて第２の基板を適用するステップとを備える、方法。
【請求項２】
前記バリア材料を適用するステップは、前記スイッチング可能な材料を適用するステップに先行する、請求項１に記載の方法。
【請求項３】
前記スイッチング可能な材料を適用するステップは、前記バリア材料を適用するステップに先行する、請求項１に記載の方法。
【請求項４】
前記第１の基板、前記第２の基板、または、前記第１および前記第２の基板は、前記スイッチング可能な材料と接触した、透明な導電層を含む、請求項１から３のいずれか１項に記載の方法。
【請求項５】
前記第１の基板、前記第２の基板、または、前記第１および前記第２の基板は、パターニングされた透明な導電層を含み、前記パターニングされた透明な導電層は、少なくとも２つの電極を含み、前記透明な導電層は、金、インジウムスズ酸化物、金属酸化物、フッ素スズ酸化物、銀、炭素、グラフェン、カーボンナノチューブ、銀線、またはこれらの組み合わせからなる群から選択される、請求項１から４のいずれか１項に記載の方法。
【請求項６】
前記スイッチング可能な材料、前記バリア材料、または、前記スイッチング可能な材料および前記バリア材料は、プリンティング、押出し成形、スパッタリング、吹付け、スロットダイコーティング、ナイフコーティング、スクリーンプリンティング、またはステンシルによって適用される、請求項１から５のいずれか１項に記載の方法。
【請求項７】
前記バリア材料は、予め成形された形態として適用される、請求項１から６のいずれか１項に記載の方法。
【請求項８】
前記第１の基板、前記第２の基板、または、前記第１および第２の基板は、可撓性である、請求項１から７のいずれか１項に記載の方法。
【請求項９】
前記第１の基板、前記第２の基板、または、前記第１および第２の基板は、透明である、請求項１から８のいずれか１項に記載の方法。
【請求項１０】
第１のバスバープラットフォームおよび第２のバスバープラットフォームを切断するステップをさらに備え、前記第１および第２のバスバープラットフォームを切断するステップは、
ｉ．前記第１の基板上で第１のキスカットを実行し、前記第１の基板の一部を除去して、前記第１のバスバープラットフォームを設けるステップと、
ｉｉ．前記スイッチング可能な物体を反転させるステップと、
ｉｉｉ．前記第２の基板上で第２のキスカットを実行し、前記第２の基板の一部を除去して、前記第２のバスバープラットフォームを設けるステップとを備える、請求項１から９のいずれか１項に記載の方法。
【請求項１１】
前記第１の基板、前記第２の基板、または、前記第１の基板および前記第２の基板の両方に電気リード線を適用するステップをさらに備える、請求項１から１０のいずれか１項に記載の方法。
【請求項１２】
シール材料を適用するステップをさらに備える、請求項１から１１のいずれか１項に記載の方法。
【請求項１３】
前記スイッチング可能な物体はシールシステムを備え、前記シールシステムは、損なわれたシールシステム構成要素を検出するための検出システムを含む、請求項１から１２のいずれか１項に記載の方法。
【請求項１４】
前記バリア材料はさらに除去可能な層を備え、前記除去可能な層は、前記スイッチング可能な材料を含むのに十分な厚みを有する、請求項１から１３のいずれか１項に記載の方法。
【請求項１５】
前記スイッチング可能な材料は、乾燥するステップ後に、およそ前記バリア材料の厚みに厚みを減少させる、請求項１から１４のいずれか１項に記載の方法。
【請求項１６】
前記バリア材料およびスイッチング可能な材料の上に第２の基板を適用するステップをさらに備える、請求項１から１５のいずれか１項に記載の方法。
【請求項１７】
プロセスに従って作製されるスイッチング可能な物体であって、前記プロセスは、
ａ．第１の基板の第１の面上にバリア材料を適用するステップと、
ｂ．前記第１の面上にスイッチング可能な材料を適用するステップとを備え、前記スイッチング可能な材料は、ある厚みおよび形状を有し、前記バリア材料によって取囲まれており、前記プロセスはさらに、
ｃ．前記スイッチング可能な材料および前記バリア材料の周りに、前記スイッチング可能な材料および前記バリア材料と接触させて第２の基板を適用するステップとを備え、前記第１の基板、前記第２の基板および前記バリア材料は、前記スイッチング可能な材料を封入する、スイッチング可能な物体。
【請求項１８】
プロセスに従って作製されるスイッチング可能な物体であって、前記プロセスは、
ａ．第１の基板の第１の面上にバリア材料を適用するステップと、
ｂ．前記第１の面上にスイッチング可能な材料を適用するステップとを備え、前記スイッチング可能な材料は、ある厚みおよび形状を有し、前記バリア材料によって取囲まれており、前記プロセスはさらに、
ｃ．前記スイッチング可能な材料および前記バリア材料の周りに、前記スイッチング可能な材料および前記バリア材料と接触させて第２の基板を適用するステップとを備え、前記第１の基板、前記第２の基板および前記バリア材料は、前記スイッチング可能な材料を封入する、スイッチング可能な物体。
【請求項１９】
スイッチング可能な物体であって、
ａ．透明な導電性コーティングを備える第１の基板と、
ｂ．スイッチング可能な材料の一部と、
ｃ．前記スイッチング可能な材料の一部を取囲むバリア材料の一部と、
ｄ．透明な導電性コーティングを備える第２の基板とを備え、
前記第１および第２の基板の前記透明な導電性コーティングは、各々、前記スイッチング可能な材料および前記バリア材料と接触する、スイッチング可能な物体。
【請求項２０】
前記透明な導電性コーティングを有する前記第１および第２の基板ならびに前記バリア材料は、前記スイッチング可能な材料を入れる空間を規定する、請求項１８または１９のいずれか１項に記載のスイッチング可能な物体。
【請求項２１】
可撓性のスイッチング可能な物体を作製する方法であって、
バリア材料のマスクに、形状を規定する剥離ライナを提供するステップを備え、前記マスクは、第１の基板の導電面に適用され、前記方法はさらに、
形状を充填するために、前記マスクの上にスイッチング可能な材料の層を適用するステップと、
過剰なスイッチング可能な材料を除去するステップとを備える、方法。
【請求項２２】
前記バリア材料の一部を取囲むシール材料をさらに備え、前記第１の基盤および前記第２の基盤の前記前記透明な導電性コーティングは前記シール材料と接触する、請求項１９に記載のスイッチング可能な物体。
【手続補正書】
【提出日】平成30年1月17日(2018.1.17)
【手続補正１】
【補正対象書類名】特許請求の範囲
【補正対象項目名】全文
【補正方法】変更
【補正の内容】
【特許請求の範囲】
【請求項１】
口腔ケアシステムであって、同システムは、
チャンバ壁を有するチャンバであって、同チャンバは、該チャンバの頂部から該チャンバの底部まで延びるとともに該チャンバの前記頂部及び前記底部を含む空洞部を有し、前記頂部は上部開口を形成する開放頂部であり、前記底部は下部開口を形成する開放底部であり、歯ブラシのブラシ・ヘッドが前記開放頂部を通じて前記空洞部に配置され、前記ブラシ・ヘッドが前記空洞部に配置されたとき、前記チャンバのうち、前記空洞部の一部のみが前記ブラシ・ヘッドの直下に位置する、チャンバと、
紫外線光を放射する発光源とを備え、該紫外線光は前記空洞部の少なくとも一部にあることを特徴とする口腔ケアシステム。
【請求項２】
前記歯ブラシのブラシは前記歯ブラシの持ち手の下に配置されることを特徴とする請求項１に記載の口腔ケアシステム。
【請求項３】
前記システムは乾燥装置を備えることを特徴とする請求項１に記載の口腔ケアシステム。
【請求項４】
前記システムは、前記チャンバの内部に放射エネルギー光源を備えることを特徴とする請求項１に記載の口腔ケアシステム。
【請求項５】
前記システムは、前記チャンバの内部に熱源を備えることを特徴とする請求項１に記載の口腔ケアシステム。
【請求項６】
前記システムは、前記チャンバの内部に対流源を備えることを特徴とする請求項１に記載の口腔ケアシステム。
【請求項７】
前記システムは、前記チャンバと該システムを支持する面との間に設けられて、前記チャンバの下から前記空洞部への空気の流路を確保する突部を備えることを特徴とする請求項１に記載の口腔ケアシステム。
【請求項８】
前記歯ブラシは電動歯ブラシであることを特徴とする請求項１に記載の口腔ケアシステム。
【請求項９】
前記歯ブラシはバッテリー駆動であることを特徴とする請求項１に記載の口腔ケアシステム。
【請求項１０】
前記歯ブラシのブラシと前記チャンバ壁との間に間隙があることを特徴とする請求項１に記載の口腔ケアシステム。
【請求項１１】
気流のために、前記歯ブラシと前記チャンバ壁との間に間隙があることを特徴とする請求項１に記載の口腔ケアシステム。
【請求項１２】
前記システムは、前記チャンバと前記歯ブラシとの間に充電回路を備えることを特徴とする請求項１に記載の口腔ケアシステム。
【請求項１３】
口腔ケアシステムであって、同システムは、
チャンバであって、同チャンバは、該チャンバの頂部から該チャンバの底部まで延びるとともに該チャンバの前記頂部及び前記底部を含む空洞部を有し、前記頂部は上部開口を形成する開放頂部であり、前記底部は下部開口を形成する開放底部であり、歯ブラシのブラシ・ヘッドが前記開放頂部を通じて前記空洞部に配置され、前記ブラシ・ヘッドが前記空洞部に配置されたとき、前記チャンバのうち、前記空洞部の一部のみが前記ブラシ・ヘッドの直下に位置する、チャンバと、
紫外線光を放射する発光源であって、同発光源は前記チャンバの内部に配置され、前記発光源は形状が略環状または円形であり、前記発光源は前記歯ブラシのブラシの周囲を包囲する、発光源とを備えることを特徴とする口腔ケアシステム。
【請求項１４】
前記発光源は水銀灯であることを特徴とする請求項１３に記載の口腔ケアシステム。
【請求項１５】
口腔ケアシステムであって、同システムは、
チャンバ壁を有するチャンバであって、同チャンバは、該チャンバの頂部から該チャンバの底部まで延びるとともに該チャンバの前記頂部及び前記底部を含む空洞部を有し、前記頂部は上部開口を形成する開放頂部であり、前記底部は下部開口を形成する開放底部であり、前記上部開口は前記チャンバの外側から前記空洞部に通じる開放されたドッキング・ポートである、チャンバと、
ブラシ端および持ち手端から構成される歯ブラシであって、前記持ち手端は前記チャンバとドッキングし、ドッキングされると前記ブラシ端は前記開放頂部を通じて前記空洞部に配置されるとともに前記持ち手端は前記チャンバの外側に配置され、前記ブラシ端が前記空洞部に配置されたとき、前記チャンバのうち、前記空洞部の一部のみが前記ブラシ端の直下に位置し、ドッキングの間、前記ブラシ端と前記チャンバ壁との間に間隙がある、歯ブラシと、
前記ドッキングの際に自動的に照明する紫外線光源とを備えることを特徴とする口腔ケアシステム。
【請求項１６】
前記歯ブラシの前記ブラシ端は前記歯ブラシの前記持ち手端の下に配置されることを特徴とする請求項１５に記載の口腔ケアシステム。
【請求項１７】
前記システムは、乾燥装置を備えることを特徴とする請求項１５に記載の口腔ケアシステム。
【請求項１８】
前記システムは、前記チャンバの内部に放射エネルギー光源を備えることを特徴とする請求項１５に記載の口腔ケアシステム。
【請求項１９】
前記システムは、前記チャンバの内部に熱源を備えることを特徴とする請求項１５に記載の口腔ケアシステム。
【請求項２０】
前記システムは、前記チャンバの内部に対流源を備えることを特徴とする請求項１５に記載の口腔ケアシステム。
【請求項２１】
前記システムは、前記チャンバの下に配置されるチャンバ足部を備えることを特徴とする請求項１５に記載の口腔ケアシステム。
【請求項２２】
前記歯ブラシは電動歯ブラシであることを特徴とする請求項１５に記載の口腔ケアシステム。
【請求項２３】
前記歯ブラシはバッテリー駆動であることを特徴とする請求項１５に記載の口腔ケアシステム。
【請求項２４】
前記システムは、前記チャンバと前記歯ブラシとの間に充電回路を備えることを特徴とする請求項１５に記載の口腔ケアシステム。
【手続補正書】
【提出日】平成30年1月26日(2018.1.26)
【手続補正１】
【補正対象書類名】特許請求の範囲
【補正対象項目名】全文
【補正方法】変更
【補正の内容】
【特許請求の範囲】
【請求項１】
駆動可能なマニピュレータアーム（３）を備えるマニピュレータユニット（２）を有するデバイス（１）であって、フレキシブルな引張り要素（１１，１２）を有する昇降装置（７）が存在し、前記昇降装置上で、前記マニピュレータユニット（２）が、懸垂保持式方式で下降可能及び／又は上昇可能であり、前記フレキシブルな引張り要素（１１，１２）と前記マニピュレータユニット（２）の基礎本体（１８）との間で作用する結合手段（１９）が、前記引張り要素（１１，１２）に前記マニピュレータユニット（２）が懸垂保持された状態において、前記基礎本体（１８）を予め規定された空間配向にセットするために前記基礎本体（１８）を調整可能に存在することを特徴とするデバイス。
【請求項２】
前記マニピュレータユニット（２）の主平面（１８ａ）を調整可能であることを特徴とする請求項１に記載のデバイス。
【請求項３】
前記マニピュレータユニット（２）の主平面（１８ａ）を、チルト運動によって垂直配向から水平配向に傾斜可能であることを特徴とする請求項１又は請求項２に記載のデバイス。
【請求項４】
前記結合手段（１９）は、前記引張り要素（１１，１２）に接続される少なくとも実質的にリジッドな結合要素（２２）を備えることを特徴とする請求項１〜請求項３のいずれか１項に記載のデバイス。
【請求項５】
前記結合手段（１９）は、調整装置（２０）を介して前記マニピュレータユニットに作用することを特徴とする請求項１〜請求項４のいずれか１項に記載のデバイス。
【請求項６】
前記調整装置（２０）は、前記マニピュレータユニット（２）の重心の領域に存在することを特徴とする請求項５に記載のデバイス。
【請求項７】
前記調整装置（２０）は、前記マニピュレータユニット（２）の前記基礎本体（１８）の重心の領域に存在することを特徴とする請求項５に記載のデバイス。
【請求項８】
被駆動式で動作可能である複数の接触部材（１４〜１７）が、前記マニピュレータユニット（２）上に存在することを特徴とする請求項１〜請求項７のいずれか１項に記載のデバイス。
【請求項９】
前記接触部材（１４〜１７）の少なくとも一つが機能性を有するように設計されていることを特徴とする請求項８に記載のデバイス。
【請求項１０】
前記接触部材（１４〜１７）の少なくとも一つには、係合セクション（６ａ）との間の保持機能を提供するための接着手段（２８）が存在することを特徴とする請求項８又は請求項９に記載のデバイス。
【請求項１１】
前記マニピュレータユニット（２）の周囲物の知覚検出のためのセンサ手段が設けられていることを特徴とする請求項１〜請求項１０のいずれか１項に記載のデバイス。
【請求項１２】
前記昇降装置（７）に加えて、前記マニピュレータユニット（２）を囲む媒体内での前記マニピュレータユニット（２）の被駆動運動のための駆動手段（３０，３１）が設けられていることを特徴とする請求項１〜請求項１１のいずれか１項に記載のデバイス。
【請求項１３】
前記マニピュレータユニット（２）の外側から内部体積への輻射の侵入を減少させる又は回避する輻射保護手段（２４ａ）を備えることを特徴とする請求項１〜請求項１２のいずれか１項に記載のデバイス。
【請求項１４】
水面下でデバイスを動作させるための手段が構成されていることを特徴とする請求項１〜１３のいずれか１項に記載のデバイス。
【手続補正書】
【提出日】平成29年12月25日(2017.12.25)
【手続補正１】
【補正対象書類名】特許請求の範囲
【補正対象項目名】全文
【補正方法】変更
【補正の内容】
【特許請求の範囲】
【請求項１】
ユーザーインターフェイスデバイスと、
ユーザーインターフェイスデバイスの長さに沿って配された複数の加速度計を含み、加速度計の動きに対する反応の信号を発生させるように構成された、膣内デバイスと、を備え、
ユーザーインターフェイスデバイスが、膣内デバイスにワイヤレス接続され、患者への生理的フィードバック情報を供するために複数の加速度計からの信号を分析するように設定されている、患者の骨盤底筋体操を最適化するシステム。
【請求項２】
ユーザーインターフェイスデバイスは、クラウドベースの患者のデータを遠隔で保存および検索するように構成されたデータプロセッサと通信モジュールをさらに備える、請求項１に記載のシステム。
【請求項３】
生理的フィードバック情報は、クラウドベースの患者のデータの一部として検索される、患者の骨盤底筋体操の履歴の視覚的または数値の表示である、請求項２に記載のシステム。
【請求項４】
生理的フィードバック情報は、ケーゲルパワーの視覚的または数値の表示である、請求項１に記載のシステム。
【請求項５】
生理的フィードバック情報は、骨盤底筋体操の最適化の視覚的または数値の表示である、請求項１に記載のシステム。
【請求項６】
ユーザーインターフェイスデバイスは、ブルートゥース（登録商標）接続を介して膣内デバイスに接続される、請求項１に記載のシステム。
【請求項７】
ユーザーインターフェイスデバイスは、スマートフォンと、タブレットと、時計からなる群から選択される、請求項１に記載のシステム。
【手続補正書】
【提出日】平成30年1月29日(2018.1.29)
【手続補正１】
【補正対象書類名】特許請求の範囲
【補正対象項目名】全文
【補正方法】変更
【補正の内容】
【特許請求の範囲】
【請求項１】
本体と、前記本体内に画定されかつ加湿チャンバを受け入れるように適合された加湿コンパートメントと、前記本体内に配置された流れ発生器とを備え、前記流れ発生器および前記加湿コンパートメントが流体接続されており、液体収容コンパートメントが、前記本体内の前記流れ発生器と前記加湿コンパートメントとの間に介挿されており、前記液体収容コンパートメントが、前記流れ発生器および前記加湿コンパートメントの両方に流体接続されており、それにより、前記流れ発生器から前記加湿コンパートメントへのガス流路が前記液体収容コンパートメントを通過し、
前記液体収容コンパートメントが、
前記液体収容コンパートメントから前記加湿コンパートメントに流れ出るガス流用の出口を画定する第１開口部を備え、
前記流れ発生器から前記液体収容コンパートメントに流れ込むガス流用の入口を画定する第２開口部を備え、前記液体収容コンパートメントの前記第１開口部および前記第２開口部が、少なくとも２つの直交する空間方向において互いにずれており、
前記液体収容コンパートメントが下面を含み、前記第２開口部が、前記下面より概して垂直方向に高く配置され、前記第２開口部が、前記液体収容コンパートメントの前記下面から前記液体収容コンパートメント内に延在している台の頂部に設けられ、前記台が、前記流れ発生器に流体接続されて前記ガス流路の一部を形成する通路を備える、呼吸補助装置。
【請求項２】
前記液体収容コンパートメントの前記第１開口部および前記第２開口部が、水平方向にかつ垂直方向にずれている、請求項１に記載の呼吸補助装置。
【請求項３】
前記液体収容コンパートメントの前記第１開口部および前記第２開口部が、３つの直交する空間方向において互いにずれている、請求項１に記載の呼吸補助装置。
【請求項４】
前記液体収容コンパートメントの前記第１開口部および前記第２開口部が、２つの直交する方向において水平方向にかつ垂直方向にずれている、請求項３に記載の呼吸補助装置。
【請求項５】
前記第１開口部のいずれの部分も前記第２開口部に垂直方向に位置合わせされていない、請求項１〜４のいずれか一項に記載の呼吸補助装置。
【請求項６】
前記第１開口部のいずれの部分も前記第２開口部に水平方向に位置合わせされていない、請求項１〜５のいずれか一項に記載の呼吸補助装置。
【請求項７】
前記第２開口部がある垂直距離にわたり、前記第２開口部の最下部分が、前記液体収容コンパートメントの前記下面より垂直方向に高い、請求項１〜６のいずれか一項に記載の呼吸補助装置。
【請求項８】
前記液体収容コンパートメントの前記下面がある垂直距離にわたり、前記第２開口部が、前記第２開口部に直接隣接する前記下面のいかなる部分よりも垂直方向に高い、請求項１〜７のいずれか一項に記載の呼吸補助装置。
【請求項９】
前記第２開口部が前記第１開口部に向かって傾斜している、請求項１〜８のいずれか一項に記載の呼吸補助装置。
【請求項１０】
前記第２開口部の最下部分が、前記液体収容コンパートメントの前記下面の最下部分より垂直方向に高い、請求項１〜９のいずれか一項に記載の呼吸補助装置。
【請求項１１】
前記第２開口部が、前記第２開口部の前記第１開口部から反対側にある前記第２開口部の部分に画定されたリップを有する、請求項１〜１０のいずれか一項に記載の呼吸補助装置。
【請求項１２】
前記リップが、前記第２開口部に通じる、台の中に画定された通路の上に張り出し、前記通路が前記ガス流路の一部を形成している、請求項１１に記載の呼吸補助装置。
【請求項１３】
前記第２開口部が、前記第１開口部の最も近くに配置されている前記第２開口部の一部に画定された幅狭領域を有している、請求項１〜１２のいずれか一項に記載の呼吸補助装置。
【請求項１４】
前記第２開口部が、前記ガス流路の一部を形成する前記本体内の１つまたは複数の通路によって、前記流れ発生器に流体接続されている、請求項１〜１３のいずれか一項に記載の呼吸補助装置。
【請求項１５】
前記本体が、合わせて固定されるように構成されている上部ハウジングおよび下部ハウジングを備え、前記液体収容コンパートメントが、前記本体の前記下部ハウジングの一部である下面と、前記本体の前記上部ハウジングの一部である前記液体収容コンパートメントの側面を画定する垂直壁とを備えている、請求項１〜１４のいずれか一項に記載の呼吸補助装置。
【請求項１６】
前記液体収容コンパートメントの前記垂直壁の一部が、前記加湿コンパートメントを画定する垂直壁の一部に対応する、請求項１５に記載の呼吸補助装置。
【請求項１７】
前記第１開口部が、前記加湿コンパートメントの前記垂直壁に対応する前記液体収容コンパートメントの前記垂直壁の前記一部を通って延在している、請求項１６に記載の呼吸補助装置。
【請求項１８】
前記液体収容コンパートメントの前記垂直壁の一部が、前記上部ハウジングによって提供される前記本体の外壁の一部に対応する、請求項１５〜１７のいずれか一項に記載の呼吸補助装置。
【請求項１９】
前記液体収容コンパートメントが、前記液体収容コンパートメントの前記下面の周縁部を画定しかつ前記本体の前記下部ハウジングから延在する畝状部を備え、前記畝状部が、前記上部ハウジングに設けられた前記液体収容コンパートメントの前記垂直壁の構成に一致し、それにより、前記本体が組み立てられるとき、前記下部ハウジングの前記畝状部と前記上部ハウジングの前記垂直壁とが互いに当接して前記液体収容コンパートメントを形成する、請求項１５〜１８のいずれか一項に記載の呼吸補助装置。
【請求項２０】
前記液体収容コンパートメントの前記畝状部が、前記液体収容コンパートメントのリザーバを画定しかつそれを取り囲んでいる、請求項１９に記載の呼吸補助装置。
【請求項２１】
前記液体収容コンパートメントの前記畝状部が前記第２開口部を包囲している、請求項１９または２０に記載の呼吸補助装置。
【請求項２２】
シールが、前記液体収容コンパートメントを形成する前記下部ハウジングの畝状部と前記上部ハウジングの前記垂直壁との間に設けられている、請求項１９〜２１のいずれか一項に記載の呼吸補助装置。
【請求項２３】
前記畝状部が溝を含み、前記シールが前記溝内に設けられている、請求項２２に記載の呼吸補助装置。
【請求項２４】
前記流れ発生器が、前記本体の前記下部ハウジングにまたはその中に取り付けられている、請求項１５〜２３のいずれか一項に記載の呼吸補助装置。
【手続補正書】
【提出日】平成30年1月11日(2018.1.11)
【手続補正１】
【補正対象書類名】特許請求の範囲
【補正対象項目名】全文
【補正方法】変更
【補正の内容】
【特許請求の範囲】
【請求項１】
患者用アクセス機器において、
近位端と、遠位端と、それらの間のルーメンとを有する中空のシャフトと、
前記近位端に連結され、長尺状プローブを受けるように構成された入口ポートであって、第一の圧力にて流体の流れを可能にするように構成された第一のバルブアセンブリを含む、入口ポートと、
前記遠位端に連結された出口ポートであって、第二の圧力にて流体の流れを可能にするように構成された第二のバルブアセンブリを含む、出口ポートと、
前記シャフトの前記ルーメンと流体連通し、前記ルーメンに流体を送達するように構成された液体供給ポートと、
を含み、
前記第一の圧力と前記第二の圧力との間の値である前記シャフト内の圧力下で、前記ルーメン内に配置された前記長尺状プローブの少なくとも一部分に流体をフラッシュし、前記シャフト内に入ったガスを、前記第一のバルブアセンブリおよび／または前記第二のバルブアセンブリを通じて前記シャフトの前記ルーメンから出すように構成された、患者用アクセス機器。
【請求項２】
請求項１に記載の患者用アクセス機器であって、
前記第二の圧力が前記第一の圧力より高く、前記第一のバルブアセンブリを通じて前記流体の漏出および通り抜けのうちの少なくとも一方が実施される、患者用アクセス機器。
【請求項３】
請求項１に記載の患者用アクセス機器であって、
前記第一の圧力が前記第二の圧力より高く、前記第二のバルブアセンブリを通じて前記流体の漏出および通り抜けのうちの少なくとも一方が実施される、患者用アクセス機器。
【請求項４】
請求項１に記載の患者用アクセス機器であって、
前記入口ポートに接続され、前記シャフトの前記ルーメンに流体を送達するように構成された流体送達アセンブリをさらに含む、患者用アクセス機器。
【請求項５】
請求項４に記載の患者用アクセス機器であって、
前記流体送達アセンブリは、前記長尺状プローブが前記入口ポートに挿入されたことを検出するように構成されたセンサを含み、前記流体送達アセンブリはさらに、前記センサによって生成された１つまたは複数の信号に基づいて自動的に流体を送達するように構成される、患者用アクセス機器。
【請求項６】
請求項４に記載の患者用アクセス機器であって、
前記流体送達アセンブリは、流体の流れを開始させる機能、流体の流速を増大または低下させる機能、流体の流量を設定する機能、および／またはそれらの組合せからなる群より選択される機能をオペレータが実行できるように構成された１つまたは複数の制御手段を含む、患者用アクセス機器。
【請求項７】
前記シャフトの一部分が透明である、請求項１に記載の患者用アクセス機器。
【請求項８】
請求項７に記載の患者用アクセス機器であって、
前記透明部分は、前記シャフト内の目に見える気泡を使用者が手で扱き出せるように構成された、支持要素を含む柔軟材料で形成されている、患者用アクセス機器。
【請求項９】
請求項１に記載の患者用アクセス機器であって、
金属、ステンレススチール、コバルト合金、ニッケル・チタン合金、チタン合金、セラミック、プラスチック、ポリマ、ポリエチレン、ポリ塩化ビニル、ポリウレタン、ポリラクチド、シリコーン、ラテックス、および／またはそれらの組合せからなる群より選択される１種または複数の生体適合材料で構成されている、患者用アクセス機器。
【請求項１０】
１つまたは複数のセンサをさらに備える、請求項１に記載の患者用アクセス機器。
【請求項１１】
請求項１０に記載の患者用アクセス機器であって、
前記１つまたは複数のセンサは、前記長尺状プローブが前記入口ポートおよび／または前記中空のシャフトに挿入されたことを検出するように構成された検出センサを含む、患者用アクセス機器。
【請求項１２】
請求項１０に記載の患者用アクセス機器であって、
前記１つまたは複数のセンサは、前記ルーメンを通る流体の流れを検出するように構成されたフローセンサを含む、患者用アクセス機器。
【請求項１３】
請求項１０に記載の患者用アクセス機器であって、
前記１つまたは複数のセンサは、前記シャフトの前記ルーメン内の気泡を検出するように構成された気泡検出器を含む、患者用アクセス機器。
【請求項１４】
請求項１に記載の患者用アクセス機器であって、
前記シャフトを振動させて前記ルーメン内の気泡を物理的に破壊するように構成された振動要素をさらに備える、患者用アクセス機器。
【請求項１５】
請求項１に記載の患者用アクセス機器であって、
ある条件が検出されたときにアラームを作動させるように構成されたアラームトランスデューサをさらに備え、前記条件は、流れがないこと、流速が閾値より低いこと、気泡が存在すること、長尺状プローブが進められていること、および／またはそれらの組合せからなる群より選択される、患者用アクセス機器。
【請求項１６】
請求項１に記載の患者用アクセス機器であって、
前記長尺状プローブは、ガイドワイヤ、バルーンカテーテル、ステントデリバリカテーテル、アブレーションカテーテル、神経血管カテーテル、塞栓カテーテル、および／または、様々な疾患または障害の診断または治療に使用されるその他の種類の挿入可能な医療機器からなる群より選択される、患者用アクセス機器。
【請求項１７】
請求項１に記載の患者用アクセス機器であって、
前記長尺状プローブは、拡張可能アレイを含み、前記拡張可能アレイは、らせんアレイ、バスケット構成アレイ、トランスデューサのアレイ、センサおよび／またはトランスデューサのアレイ、電極のアレイ、および／またはこれらの組合せおよび／または部分的組合せからなる群より選択される、患者用アクセス機器。
【請求項１８】
前記バルブアセンブリがＴｕｏｈｙ−ｂｏｒｓｔバルブアセンブリを含む、請求項１に記載の患者用アクセス機器。
【請求項１９】
前記シャフトの前記ルーメンに流体連通する流体出口ポートをさらに備える、請求項１に記載の患者用アクセス機器。
【請求項２０】
請求項１９に記載の患者用アクセス機器であって、
前記シャフトは近位部分と遠位部分とを含み、前記流体入口ポートは前記シャフトの前記近位部分と流体連通し、前記流体出口ポートは前記シャフトの前記遠位部分と流体連通する、患者用アクセス機器。
【手続補正書】
【提出日】平成29年12月8日(2017.12.8)
【手続補正１】
【補正対象書類名】特許請求の範囲
【補正対象項目名】全文
【補正方法】変更
【補正の内容】
【特許請求の範囲】
【請求項１】
塗布ヘッドと、該塗布ヘッドに流体的に結合されるノズルアセンブリとを備える流体塗布装置であって、前記ノズルアセンブリは、
前記塗布ヘッドから第１の流体を受け取るように構成されている第１の導管と、
前記塗布ヘッドから第２の流体を受け取るように構成されている第２の導管と、
前記第１の導管及び前記第２の導管の下流側に配設されて前記第１の導管及び前記第２の導管に流体接続され、且つレセプタクルと第１の分岐路と第２の分岐路とを含む塗布導管であって、前記レセプタクルは、前記第１の導管と流体接続されるとともに、前記第１の流体を前記第１の導管から受け取るように構成され、前記第１の分岐路及び前記第２の分岐路は、前記第２の導管に流体接続されるとともに、前記第２の流体を前記第２の導管から受け取るように構成されている、塗布導管と、
前記塗布導管の下流側に配設されて、前記塗布導管に流体接続されるオリフィスであって、該オリフィスは、前記第１の分岐路と前記第２の分岐路との間に延びて、前記第１の流体を前記レセプタクルから受け取り、前記第２の流体が前記第１の流体に対して反対方向から作用するように前記第２の流体を前記第１の分岐路及び前記第２の分岐路から受け取るように構成されるとともに、前記第１の流体を吐出して材料ストランド上に塗布するように構成されているオリフィスと、
前記オリフィスに対して延びるガイドスロットであって、前記材料ストランドを受けるように構成されているガイドスロットと、
複数の積層プレートであって、該複数の積層プレートに前記第１の導管、前記第２の導管、前記塗布導管、前記オリフィス、及び前記ガイドスロットが形成される複数の積層プレートと、
を有する、流体塗布装置。
【請求項２】
流体塗布装置用のノズルアセンブリであって、
第１の流体を受け取るように構成されている第１の導管と、
第２の流体を受け取るように構成されている第２の導管と、
前記第１の導管及び前記第２の導管の下流側に配設されて前記第１の導管及び前記第２の導管に流体接続され、且つレセプタクルと第１の分岐路と第２の分岐路とを含む塗布導管であって、前記レセプタクルは、前記第１の導管と流体接続されるとともに、前記第１の流体を前記第１の導管から受け取るように構成され、前記第１の分岐路及び前記第２の分岐路は、前記第２の導管に流体接続されるとともに、前記第２の流体を前記第２の導管から受け取るように構成されていて、該塗布導管は前記第１の流体を第１の方向から受け取り、前記第２の流体を前記第１の方向の反対側の第２の方向から受け取る、塗布導管と、
前記塗布導管に流体接続され、前記塗布導管の下流側に配設されるオリフィスであって、前記第１の流体を前記レセプタクルから受け取り、前記第２の流体を前記第１の分岐路及び前記第２の分岐路から受け取って前記第１の流体を吐出して材料ストランド上に塗布するように構成されているオリフィスと、
前記オリフィスから延びるガイドスロットであって、前記材料ストランドを受けるように構成されているガイドスロットと、
複数の積層プレートであって、前記第１の導管、前記第２の導管、前記塗布導管、前記オリフィス、及び前記ガイドスロットが該複数の積層プレートのうちの１つ又は複数のプレートに形成される複数の積層プレートと、
を有する、ノズルアセンブリ。
【請求項３】
流体塗布装置であって、塗布ヘッドと、該塗布ヘッドに流体的に結合されるノズルアセンブリとを備え、該ノズルアセンブリは、
前記塗布ヘッドから第１の流体を受け取るように構成されている第１の導管と、
前記塗布ヘッドから第２の流体を受け取るように構成されている第２の導管と、
レセプタクルと第１の分岐路と第２の分岐路とを含む塗布導管であって、前記レセプタクルは前記第１の導管に流体接続されて前記第１の流体を受け取るように構成されており、前記第１の分岐路及び前記第２の分岐路は前記第２の導管に流体接続されて前記第２の流体を受け取るように構成されている、塗布導管と、
前記塗布導管に流体接続されるオリフィスであって、前記第１の流体を吐出して材料ストランド上に塗布するように構成されているオリフィスと、
前記オリフィスに対して延びるガイドスロットであって、前記材料ストランドを受けるように構成されているガイドスロットと、を有し
前記第２の導管は、前記第１の分岐路に流体接続される第１の脚部と、前記第２の分岐路に流体接続される第２の脚部とを有する分流セクションを更に含む、流体塗布装置。
【請求項４】
流体塗布装置用のノズルアセンブリであって、
第１の流体を受け取るように構成されている第１の導管と、
第２の流体を受け取るように構成されている第２の導管と、
レセプタクルと第１の分岐路と第２の分岐路とを含む塗布導管であって、前記レセプタクルが、前記第１の導管と流体接続されて前記第１の流体を受け取るように構成され、前記第１の分岐路及び前記第２の分岐路が、前記第２の導管に流体接続されて前記第２の流体を受け取るように構成されている、塗布導管と、
前記塗布導管に流体接続されるオリフィスであって、前記第１の流体を吐出して材料ストランド上に塗布するように構成されているオリフィスと、
前記オリフィスから延びるガイドスロットであって、前記材料ストランドを受けるように構成されているガイドスロットと、
を有しており、
前記第２の導管は分流セクションを更に含み、該分流セクションは、前記第１の分岐路に流体接続される第１の脚部と、前記第２の分岐路に流体接続される第２の脚部とを有する、ノズルアセンブリ。
【手続補正書】
【提出日】平成29年12月21日(2017.12.21)
【手続補正１】
【補正対象書類名】特許請求の範囲
【補正対象項目名】全文
【補正方法】変更
【補正の内容】
【特許請求の範囲】
【請求項１】
アルコール及びガソリンの供給混合物からアルコールを選択的に浸透気化させるための非対称複合膜であって、
対向する第１及び第２の主表面並びに複数の細孔を含む多孔質基材と、
前記細孔のうちの少なくとも幾つかの内部に配設され、前記多孔質基材の内部に厚さを有する層を形成する細孔充填ポリマーと、を含み、
前記第１の主表面における又は該主表面に隣接する前記細孔充填ポリマーの量が、第２の主表面における又は該主表面に隣接する前記細孔充填ポリマーの量よりも多く、
前記細孔充填ポリマーがガソリンよりもアルコールに対してより透過性である一方、アルコール又はガソリンには溶解しない、非対称複合膜。
【請求項２】
前記多孔質基材がナノ多孔質層、ミクロ多孔質層、及びマクロ多孔質層を含む、請求項１に記載の非対称複合膜。
【請求項３】
前記ポリマーの出発物質が、エチレン性不飽和モノマー及び／又はオリゴマーを含む、請求項１又は２に記載の非対称複合膜。
【請求項４】
前記細孔充填ポリマーが、前記多孔質基材の前記第１の主表面の少なくとも一部を形成する細孔充填ポリマー層の形態である、請求項１〜３のいずれか一項に記載の非対称複合膜。
【請求項５】
前記細孔充填ポリマーが、露出した主表面を有する細孔充填ポリマー層の形態であり、
前記細孔充填ポリマー層が、前記多孔質基材の前記第１の主表面、並びに前記多孔質基材の対向する第１及び第２の主表面間に配設された対向する主表面を被覆する、請求項１〜４のいずれか一項に記載の非対称複合膜。
【請求項６】
前記細孔充填ポリマーが、少なくとも２０℃〜最高９０℃までの範囲の供給温度、少なくとも２０トール（２．６７ｋＰａ）〜最高７６０トール（１０１ｋＰａ）までの範囲の透過減圧、少なくとも１０ｐｓｉ（６９ｋＰａ）〜最高１００ｐｓｉ（６９０ｋＰａ）までの範囲の供給圧力、及び少なくとも２％〜最高２０％までの範囲の供給混合物のアルコール濃度を用いて、少なくとも３１０ｇ／ｍ２／時〜最高３０ｋｇ／ｍ２／時までの範囲の平均アルコール透過流束を呈する、請求項１〜５のいずれか一項に記載の非対称複合膜。
【請求項７】
アルコール及びガソリンの混合物からアルコールを分離させるためのカートリッジであって、請求項１〜６のいずれか一項に記載の非対称複合膜を含む、カートリッジ。
【請求項８】
アルコール及びガソリンの混合物からアルコールを分離させるための方法であって、
請求項１〜６のいずれか一項に記載の非対称複合膜に、前記混合物を接触させることを含む、方法。
【請求項９】
燃料システムと、請求項１〜６のいずれか一項に記載の非対称複合膜と、の組み合わせであって、
前記非対称複合膜が、アルコール及びガソリンの混合物から選択的に前記アルコールを浸透気化する、組み合わせ。
【手続補正２】
【補正対象書類名】明細書
【補正対象項目名】００３３
【補正方法】変更
【補正の内容】
【００３３】
特定の実施形態において、第２の液体は、ガソリン、ベンゼン、エーテル（メチル−ｔｅｒｔ−ブチルエーテル、エチル−ｔｅｒｔ−ブチルエーテル等）、又はヘキサン、シクロヘキサンであり得る。
【手続補正３】
【補正対象書類名】明細書
【補正対象項目名】００７４
【補正方法】変更
【補正の内容】
【００７４】
特定の実施形態において、開始モノマー及び／又はオリゴマーには、下記のうちの１つ以上が包含される。
（ａ）例えば、ジプロピレングリコールジアクリレート、エトキシル化（１０）ビスフェノールＡジアクリレート、エトキシル化（３）ビスフェノールＡジアクリレート、エトキシル化（３０）ビスフェノールＡジアクリレート、エトキシル化（４）ビスフェノールＡジアクリレート、ヒドロキシピバルアルデヒド変性トリメチロールプロパンジアクリレート、ネオペンチルグリコールジアクリレート、ポリエチレングリコール（２００）ジアクリレート、ポリエチレングリコール（４００）ジアクリレート、ポリエチレングリコール（６００）ジアクリレート、プロポキシル化ネオペンチルグリコールジアクリレート、テトラエチレングリコールジアクリレート、トリシクロデカンジメタノールジアクリレート、トリエチレングリコールジアクリレート、及びトリプロピレングリコールジアクリレート等のジ（メタ）アクリル含有化合物；
（ｂ）トリメチロールプロパントリアクリレート、エトキシル化トリアクリレート（例えば、エトキシル化（３）トリメチロールプロパントリアクリレート、エトキシル化（６）トリメチロールプロパントリアクリレート、エトキシル化（９）トリメチロールプロパントリアクリレート、エトキシル化（２０）トリメチロールプロパントリアクリレート）、ペンタエリスリトールトリアクリレート、プロポキシル化トリアクリレート（例えば、プロポキシル化（３）グリセリルトリアクリレート、プロポキシル化（５．５）グリセリルトリアクリレート、プロポキシル化（３）トリメチロールプロパントリアクリレート、プロポキシル化（６）トリメチロールプロパントリアクリレート）、及びトリメチロールプロパントリアクリレート等のトリ（メタ）アクリル含有化合物；
（ｃ）高官能価の（すなわち、三官能性より高い官能価の）（メタ）アクリル含有化合物、例えば、ジトリメチロールプロパンテトラアクリレート、ジペンタエリスリトールペンタアクリレート、エトキシル化（４）ペンタエリスリトールテトラアクリレート、ペンタエリスリトールテトラアクリレート、及びカプロラクトン変性ジペンタエリスリトールヘキサアクリレート；
（ｄ）例えば、ウレタンアクリレート、ポリエステルアクリレート、エポキシアクリレート、シリコーンアクリレート、前述のもののポリアクリルアミドの類似体及びこれらの組み合わせ（そのような化合物は、例えば、Ｓａｒｔｏｍｅｒ  Ｃｏｍｐａｎｙ，Ｅｘｔｏｎ，ＰＡ，ＵＣＢ  Ｃｈｅｍｉｃａｌｓ  Ｃｏｒｐｏｒａｔｉｏｎ，Ｓｍｙｒｎａ，ＧＡ、及びＡｌｄｒｉｃｈ  Ｃｈｅｍｉｃａｌ  Ｃｏｍｐａｎｙ，Ｍｉｌｗａｕｋｅｅ，ＷＩのようなベンダーから広く入手可能である）等のオリゴマー（メタ）アクリル化合物；  （ｅ）１Ｈ，１Ｈ，６Ｈ，６Ｈ−ペルフルオロヒドロキシルジアクリレート、１Ｈ，１Ｈ−２，２，３，３，４，４，４−ヘプタフルオロブチルアクリレート及びペルフルオロシクロヘキシルメチルアクリレートのようなペルフルオロアルキルメタ（アクリル）含有化合物；
（ｆ）アクリル酸２−アクリルアミド−２−メチルプロパンスルホン酸（ＡＭＰＳ）、及び［３−（メタクリロイルアミノ）プロピル］トリメチルアンモニウムクロリド溶液のような荷電したメタ（アクリル）含有化合物；並びに
（ｇ）２−ヒドロキシエチル（メタ）アクリレート（ＨＥＭＡ）、Ｎ−ビニルアセタミド、Ｎ−ビニルピロリドン、（メタ）アクリルアミド及びグリセロールメタアクリレートのような極性含有化合物。
【手続補正４】
【補正対象書類名】明細書
【補正対象項目名】０１０６
【補正方法】変更
【補正の内容】
【０１０６】
実施形態４は、前記第２の液体がガソリン、ベンゼン、エーテル又はヘキサンである、実施形態１〜３のいずれか一項に記載の複合膜である。
【手続補正書】
【提出日】平成29年12月11日(2017.12.11)
【手続補正１】
【補正対象書類名】特許請求の範囲
【補正対象項目名】全文
【補正方法】変更
【補正の内容】
【特許請求の範囲】
【請求項１】
コンピュータ支援設計（ＣＡＤ）モデルの動作を自動化するためのコンピュータ実施方法であって、
ＣＡＤモデル内のエンティティを指定するステップであって、
前記ＣＡＤモデルは複数の部品から成る現実世界のオブジェクトを表し、部品の各々は物理的オブジェクトを表し、および
前記エンティティは前記複数の部品のうちの１つに属する、該ステップと、
動作調査に有益なデータを収集するために、前記複数の部品のうちの前記１つを解析するステップであって、前記有益なデータは、サイズデータ、位置データ、および材料種類データのうちの１または複数を含む、該ステップと、
前記有益なデータから、動作を自動化するための複数のパラメータを推測するステップと、
前記複数のパラメータを動作プロセスに対する入力として使用して、前記ＣＡＤモデルの動作を自動化するステップと
を具えたことを特徴とするコンピュータ実施方法。
【請求項２】
前記複数の部品のうちの少なくとも１つのための動作軸は、前記複数の部品のうちの前記１つに関する１または複数の自由度に基づき、および、
前記１または複数の自由度は、数々の制約および各制約の位置の１つによって決定される
ことを特徴とする請求項１に記載のコンピュータ実施方法。
【請求項３】
前記複数のパラメータは、モータによって直接的運動を示す前記複数の部品のうちの前記１つ、前記モータが取り付けられる前記複数の部品のうちの前記１つの上における位置、モータ種類、前記複数の部品のうちの前記１つの動作軸、および経時的な動作の変化を示す動作関数のうちの少なくとも１つを含むことを特徴とする請求項１に記載のコンピュータ実施方法。
【請求項４】
前記モータ種類は、直線、回転、または経路沿いのうちの１つであり、
前記モータ種類は、前記エンティティ、および前記複数の部品のうちの前記１つに対する１または複数の制約によって決定される１または複数の自由度に依存する
ことを特徴とする請求項３に記載のコンピュータ実施方法。
【請求項５】
前記ＣＡＤモデルは、２次元ＣＡＤモデルおよび３次元ＣＡＤモデルの一方であることを特徴とする請求項１に記載のコンピュータ実施方法。
【請求項６】
前記複数の部品の間の親子関係についての階層マップを記憶するステップと、
前記複数の部品のうちの前記１つの動作が親部品に関連するように前記ＣＡＤモデルの動作を自動化するために前記階層マップを使用するステップと
をさらに含むことを特徴とする請求項１に記載のコンピュータ実施方法。
【請求項７】
明示的な動作方向の選択のために暗示された動作方向のインジケータを表示するステップをさらに含むことを特徴とする請求項１に記載のコンピュータ実施方法。
【請求項８】
データ記憶システムに動作可能に結合されたプロセッサであって、前記データ記憶システムは３次元モデルを記憶する、該プロセッサと、
前記プロセッサに動作可能に結合されたデータ記憶メモリであって、
ＣＡＤモデル内のエンティティを指定することであって、
前記ＣＡＤモデルは複数の部品から成る現実世界のオブジェクトを表し、部品の各々は物理的オブジェクトを表し、および
前記エンティティは前記複数の部品のうちの１つに属する、該指定することと、
動作調査に有益なデータを収集するために、前記複数の部品のうちの前記１つを解析することであって、前記有益なデータは、サイズデータ、位置データ、および材料種類データのうちの１または複数を含む、該解析することと、
前記有益なデータから、動作を自動化するための複数のパラメータを推測することと、
前記複数のパラメータを動作プロセスに対する入力として使用して、前記ＣＡＤモデルの動作を自動化することと
を行うように前記プロセッサを構成するための命令を含む、該データ記憶メモリと
を具えたことを特徴とするコンピュータ支援設計システム。
【請求項９】
コンピュータに、請求項１ないし７のいずれか１つに記載のコンピュータ実施方法を実行させることを特徴とするコンピュータプログラム。
【請求項１０】
請求項９記載のコンピュータプログラムを記録したことを特徴とする非一時的なコンピュータ可読媒体。
【手続補正書】
【提出日】平成30年1月18日(2018.1.18)
【手続補正１】
【補正対象書類名】特許請求の範囲
【補正対象項目名】全文
【補正方法】変更
【補正の内容】
【特許請求の範囲】
【請求項１】
（ａ）光源から受けた光の向きを変えて前記光をサンプル体積に送るよう配置され、前記サンプル体積内の異なる深さのところから光を受け、前記光を、第１の方向に沿った異なる位置からの光の個別の測定を検出することが可能な光検出器に送る光再配向器と、
（ｂ）前記サンプル体積内に向けられた光を、前記サンプル体積内における異なる深さのところから受けた光と分離するよう配置されたビームスプリッタと、
を備え、
前記光再配向器は、前記サンプル体積のスキャンの間に、前記サンプル体積の照明された領域の静止画像を前記光検出器に送るよう調整される、
イメージング装置。
【請求項２】
前記光再配向器は、
光源から受けた光の向きを変えて前記光をサンプル体積に送るよう配置された第１の光再配向器を含み
前記サンプル体積内の異なる深さのところから光を受け、前記光を、第１の方向に沿った異なる位置からの光の個別の測定を検出することが可能な光検出器に送るよう配置された第２の光再配向器をさらに含む、請求項１に記載のイメージング装置。
【請求項３】
前記第１の光再配向器によって向きを変えられた、前記光源からの光を屈折させて前記サンプル体積に送るよう配置された第１のレンズ、及び／又は
前記第２の光再配向器によって向きを変えられた前記光を屈折させて前記光検出器に送るよう配置された第２のレンズを備える、請求項２に記載のイメージング装置。
【請求項４】
前記第１の光再配向器及び前記第２の光再配向器は、２つの物理的に分離しているスキャンミラーにより実施されるか、または、
前記第１の光再配向器及び前記第２の光再配向器は、２つのスキャンミラーにより実施され、１つのミラーが光シートをスキャンし、それに同期して他のミラーが戻り光をデスキャンする、請求項２に記載のイメージング装置。
【請求項５】
前記光再配向器は、前記スキャンの間に、照明された前記サンプル体積の前記静止画像を前記光検出器に送るよう制御されることが可能である、請求項１に記載のイメージング装置。
【請求項６】
前記第１および第２の光再配向器は同時に移動して、前記スキャンの間に前記サンプル体積の照明された領域の前記静止画像を前記光検出器に送るよう制御されることが可能である、請求項２に記載のイメージング装置。
【請求項７】
前記光再配向器は、単一の平面のスキャンミラーを含み、
前記スキャンミラーは、固定の斜画像面が形成されるようにスキャンおよびデスキャンのいずれも実施可能である、請求項１に記載のイメージング装置。
【請求項８】
光源をさらに含み、
前記光源は、パルス光源であるか、及び／又は照明されたラインまたは照明された平面を提供する平行光源を含む、請求項１に記載のイメージング装置。
【請求項９】
プロセッサ可読媒体を含むかまたは前記プロセッサ可読媒体にアクセスするプロセッサ回路を備え、前記プロセッサ可読媒体は、前記プロセッサ回路に、前記光検出器によって検出されたスキャンデータを、前記サンプル体積内の位置に対応する適切な画像ピクセル位置での二次元または三次元画像データに変換させ得る命令または情報を含む、請求項１に記載のイメージング装置。
【請求項１０】
前記光検出器は、一次元画像または二次元画像を測定する検出器アセンブリを含む、請求項７に記載のイメージング装置。
【請求項１１】
前記光源から受けた光の向きを変えることにより、前記サンプル体積内の平面を照明する素子をさらに備える、請求項１０に記載のイメージング装置。
【請求項１２】
前記サンプル体積内の異なる深さのところから光を受け、前記静止画像の向きを補正する素子をさらに備える、請求項１に記載のイメージング装置。
【請求項１３】
前記サンプル体積内の異なる深さのところから受けた光をフィルタリングするよう配置された素子、及び／又は、前記サンプル体積の異なる深さのところから受けた光のビーム幅を変えるアパーチャをさらに備える、請求項１に記載のイメージング装置。
【請求項１４】
フォトマニピュレーションツールまたはイメージングツールを含む追加の光学ツールをさらに備える、請求項１に記載のイメージング装置。
【請求項１５】
前記フォトマニピュレーションツールは、細胞のオプトジェネティクス励起、抑制、または、修飾ツール、光ピンセットツール、光凝固ツール、光退色ツール、光誘起の細胞死または障害ツール、微小粒子またはナノ粒子からの光放出のための光キャビテーションツール、および、フォトアンケージングツールからなるグループから選択される、及び／又は
前記イメージングツールは、光コヒーレンストモグラフィーツール、広視野イメージングツール、スペックルフローグラフィーツール、レーザドップラーツール、レーザスキャン共焦点顕微鏡法ツール、および、２光子顕微鏡法ツールからなるグループから選ばれる、請求項１４に記載のイメージング装置。
【請求項１６】
請求項１乃至１５のいずれか一項に記載のイメージング装置を動作する方法。